(57)【要約】【課題】  ＥＮＵＭ（tElephone NUmber Mapping）を利用して、通信相手先に対して、ユーザの希望する通信モードで通信を実行することが出来る情報通信装置およびその制御方法を提供する。【解決手段】  スキャナ部１０３で送信する画像を取り込み、操作／表示部１０５でユーザが希望する通信モードを設定し、設定した内容をＲＡＭ１０６に保存し、ＥＮＵＭを利用してＥＮＵＭ部１６０より取得した通信相手のインターネット資源のアドレスよりユーザが設定した希望の通信モードを選択して、情報通信装置１００内で選択した通信モードに対応して送信データを作成して送信する。【選択図】  図１
2006041916.tif 000002
【特許請求の範囲】
【請求項１】
電話番号画面に入力された通信相手先の電話番号をＥＮＵＭ形式のアドレス情報に変換し、該変換したＥＮＵＭ形式のアドレス情報でＤＮＳサーバに問い合わせることにより前記通信相手先の電話番号に対応した少なくとも１つのインターネット資源のアドレスを取得するＤＮＳ問合せ手段を有する情報通信装置において、
前記通信相手先に送信する画像を入力する画像入力手段と、
通信モードを設定する通信モード設定手段と、
前記ＤＮＳ問合せ手段で取得した前記通信相手先の電話番号に対応したインターネット資源のアドレスの中で前記通信モード設定手段で設定した通信モードに適合するアドレスを選択する選択手段と、
前記画像入力手段で入力された画像に基づき前記通信モード設定手段で設定した通信モードに適合する送信データを生成する生成手段と、
前記生成手段で生成した送信データを前記選択手段で選択したアドレスを用いて送信する送信手段と
を具備することを特徴とする情報通信装置。
【請求項２】
前記選択手段は、
前記ＤＮＳサーバから取得したインターネット資源のアドレスに優先順位が設定されている場合には、該優先順位に基づき前記アドレスの選択を行う
ことを特徴とする請求項１記載の情報通信装置。
【請求項３】
電話番号画面に入力された通信相手先の電話番号をＥＮＵＭ形式のアドレス情報に変換し、該変換したＥＮＵＭ形式のアドレス情報でＤＮＳサーバに問い合わせることにより前記通信相手先の電話番号に対応した少なくとも１つのインターネット資源のアドレスを取得するＤＮＳ問合せ手段を有する情報通信装置の制御方法において、
前記通信相手先に送信する画像を画像入力手段により入力し、
通信モードを通信モード設定手段により設定し、
前記ＤＮＳ問合せ手段で取得した前記通信相手先の電話番号に対応したインターネット資源のアドレスの中で前記通信モード設定手段で設定した通信モードに適合するアドレスを選択手段により選択し、
前記画像入力手段で入力された画像に基づき前記通信モード設定手段で設定した通信モードに適合する送信データを生成手段により生成し、
前記生成手段で生成した送信データを前記選択手段で選択したアドレスを用いて送信手段により送信する
ことを特徴とする情報通信装置の制御方法。
【発明の詳細な説明】
【技術分野】
【０００１】
本発明は、情報通信装置およびその制御方法に関し、詳しくは、ＥＮＵＭ（tElephone NUmber Mapping）を利用して、通信相手先に対して、ユーザの希望する通信モードで通信を実行することが出来る情報通信装置およびその制御方法に関する。
【背景技術】
【０００２】
ネットワークに接続されたノードの数は日々、ますます増加している。相互接続されたネットワーク、特にインターネットの使用がますます盛んになるにつれて、これらの相互接続されたネットワークを経由して接続可能な情報およびリソースの量は驚異的に増加している。
【０００３】
これらのリソースのほとんどは、ネットワーク自体の基本的なアーキテクチャに固有の方法で記載される。例えば、これらのリソースは通常、インターネットＩＰアドレス（例えば 203.126.226.111）のようなノードアドレス、あるいはE.164電話番号（例えば+1 650 566 9020）を用いて参照可能に記載される。
【０００４】
ネットワークに接続されたデバイスにとっては、上述した方式に従ってネットワークリソースを参照することについて、何の困難も存在しない。しかし、人間がネットワーク上の情報およびリソースにアクセスしようとすると、この原始的なやり方が障害となることがしばしばある。なぜならこのやり方は、人間がリソースを参照する方法と比べて、直感的ではないからである。
【０００５】
このように非直感的であるという問題は、ＩＰアドレスについては当初から認識されていた。この様な点に鑑みて、当初のインターネット研究者は、ドメインネームシステム（Domain Name System、DNS)を開発した。
【０００６】
ＤＮＳを利用すれば、ネームサーバが解釈可能で、しかも覚えやすいドメインネームを使用することが可能となる。ＤＮＳにおいては、ネームサーバは、ドメインネームと関連付けられたＩＰアドレスを返すようになっている。
【０００７】
しかし、このＤＮＳにおいては、ＩＰアドレス以外に、ネットワークデバイスに関連付けられた他の多くのタイプの数値の（または他の機械向けの）情報を取り出そうとしても、容易には取り出せないという問題がある。
【０００８】
また、ＩＰアドレス以外の情報を取り出す技術として、現在においては、電話番号をキーとしてＤＮＳを検索することにより、複数の通信手段を持った相手先の複数のアドレスを得ることができるＥＮＵＭ(telephone number mapping)と呼ばれる機構がある。
【０００９】
ＥＮＵＭにおいては、国際電気通信連合（ＩＴＵ−Ｔ）による電話番号の国際的な取り決めであるＥ．１６４勧告に基づいて電話番号の変換を行い、ＥＮＵＭ形式のアドレス情報であるドメインネームを作成し、ドメインネームをＤＮＳに送って問合せることにより、相手先が通信可能な通信手段と該通信手段を使用した場合の通信相手のアドレスをＵＲＩ形式で得ることができる。
【００１０】
そこで、特許文献１においては、ユーザは、相手方の名前または識別子をインターフェースデバイスに入力して、識別子がドメインネームの形式でない場合は、該識別子を対応するドメインネームに変換してＤＮＳサーバに送り、ＤＮＳからは、該識別子に対応する名前付与ポインタリソースレコード（ＮＡＰＴＲ−ＲＲ）を受け取り、そのＮＡＰＴＲ−ＲＲに基づいて電話ユニフォームリソースロケータ（ＵＲＬ）を取りだし、その電話ＵＲＬに含まれる電話番号をダイヤルすることで相手先に電話をかけることができる方法が提案されている。
【特許文献１】特開２００３−１２５０９９号公報
【発明の開示】
【発明が解決しようとする課題】
【００１１】
前記出願では、識別子を入力して、電話ＵＲＬをＥＮＵＭのＤＮＳから入手することで、電話の発呼をおこなう基本的な枠組みが提案されているが、コピー、ファックス、スキャン等の複数の機能を併せ持つ複合機で、ＥＮＵＭを利用して、インターネット資源のアドレスを入手し、複合機の機能を活かした通信を実行するには、更に詳細な仕組みが必要となる。
【００１２】
そこでこの発明は、ＥＮＵＭを利用して、通信相手先に対して、ユーザの希望する通信モードで通信を実行することが出来る情報通信装置およびその制御方法を提供することを目的とする。
【課題を解決するための手段】
【００１３】
上記目的を達成する為に、請求項１の発明は、電話番号画面に入力された通信相手先の電話番号をＥＮＵＭ形式のアドレス情報に変換し、該変換したＥＮＵＭ形式のアドレス情報でＤＮＳサーバに問い合わせることにより前記通信相手先の電話番号に対応した少なくとも１つのインターネット資源のアドレスを取得するＤＮＳ問合せ手段を有する情報通信装置において、前記通信相手先に送信する画像を入力する画像入力手段と、通信モードを設定する通信モード設定手段と、前記ＤＮＳ問合せ手段で取得した前記通信相手先の電話番号に対応したインターネット資源のアドレスの中で前記通信モード設定手段で設定した通信モードに適合するアドレスを選択する選択手段と、前記画像入力手段で入力された画像に基づき前記通信モード設定手段で設定した通信モードに適合する送信データを生成する生成手段と、前記生成手段で生成した送信データを前記選択手段で選択したアドレスを用いて送信する送信手段とを具備することを特徴とする。
【００１４】
また、請求項２の発明は、請求項１の発明において、前記選択手段は、前記ＤＮＳサーバから取得したインターネット資源のアドレスに優先順位が設定されている場合には、該優先順位に基づき前記アドレスの選択を行うことを特徴とする。
【００１５】
また、請求項３の発明は、電話番号画面に入力された通信相手先の電話番号をＥＮＵＭ形式のアドレス情報に変換し、該変換したＥＮＵＭ形式のアドレス情報でＤＮＳサーバに問い合わせることにより前記通信相手先の電話番号に対応した少なくとも１つのインターネット資源のアドレスを取得するＤＮＳ問合せ手段を有する情報通信装置の制御方法において、前記通信相手先に送信する画像を画像入力手段により入力し、通信モードを通信モード設定手段により設定し、前記ＤＮＳ問合せ手段で取得した前記通信相手先の電話番号に対応したインターネット資源のアドレスの中で前記通信モード設定手段で設定した通信モードに適合するアドレスを選択手段により選択し、前記画像入力手段で入力された画像に基づき前記通信モード設定手段で設定した通信モードに適合する送信データを生成手段により生成し、前記生成手段で生成した送信データを前記選択手段で選択したアドレスを用いて送信手段により送信することを特徴とする。
【発明の効果】
【００１６】
この発明によれば、電話番号画面に入力された通信相手先の電話番号をＥＮＵＭ形式のアドレス情報に変換し、該変換したＥＮＵＭ形式のアドレス情報でＤＮＳサーバに問い合わせることにより前記通信相手先の電話番号に対応した少なくとも１つのインターネット資源のアドレスを取得するＤＮＳ問合せ手段を有する情報通信装置において、前記通信相手先に送信する画像を入力する画像入力手段と、通信モードを設定する通信モード設定手段と、前記ＤＮＳ問合せ手段で取得した前記通信相手先の電話番号に対応したインターネット資源のアドレスの中で前記通信モード設定手段で設定した通信モードに適合するアドレスを選択する選択手段と、前記画像入力手段で入力された画像に基づき前記通信モード設定手段で設定した通信モードに適合する送信データを生成する生成手段と、前記生成手で生成した送信データを前記選択手段で選択したアドレスを用いて送信する送信手段とを具備するように構成したので、ＥＮＵＭを利用して、通信相手先に対して、ユーザの希望する通信モードで通信を実行することが出来る効果を奏する。
【発明を実施するための最良の形態】
【００１７】
以下、本発明の情報通信装置およびその制御方法の一実施例について添付図面を参照して詳細に説明する。
【００１８】
図１は本発明を適用した情報通信装置１００のブロック図である。
【００１９】
図１において、情報通信装置１００はネットワークインタフェース１０９を通してネットワーク１７０に繋がっており、インターネット１８０を通して、ＥＮＵＭ技術で利用されるＥＮＵＭ形式のアドレス情報であるドメイン名とＮＡＰＴＲ−ＲＲの変換を行うＤＮＳ１９０に接続可能に構成されている。
【００２０】
また、この情報通信装置１００は、ＦＡＸ（ファクシミリ）部１２０にある電話回線を制御するＮＣＵ(Network Control Unit)１２５を通して電話回線に接続可能となっており、電話回線を使用するファックス通信はこの電話回線を通して行われる。
【００２１】
情報通信装置１００は、バス１０７に、情報通信装置１００の全体の制御を行うシステム制御部１０１と、所定の解像度で原稿画像を読み取るスキャナ部１０３と、所定の解像度で画像を記録出力するプリンタ部１０４と、情報通信装置１００の操作で使用される各種操作キーおよび各種表示部をもつ操作／表示部１０５と、スキャナ部から読み込まれた画像または、受信した画像を蓄積する画像蓄積部１０２と、設定した通信モードの内容を保存するＲＡＭ(Random Access Memory)１０６と、ファックス送信の処理を行うＦＡＸ部２０と、リアルタイムｉＦＡＸ部１３０と、インターネットを介してピア・ツー・ピア（Ｐｅｅｒ  ｔｏ  Ｐｅｅｒ）でのセッション接続を制御するセッション接続制御部１４０と、電子メールを通じてインターネットファックスの処理を行う電子メールｉＦＡＸ部１５０と、ＥＮＵＭ技術を利用してＤＮＳ１９０に送受信する情報の制御を行うＥＮＵＭ部１６０とが接続されている。
【００２２】
さらに、ＦＡＸ部１２０、リアルタイムｉＦＡＸ部１３０、セッション接続制御部１４０、電子メールｉＦＡＸ部１５０、ＥＮＵＭ部１６０は、インターネットのトランスポートレイヤとネットワークレイヤのプロトコル制御を行うＴＣＰ(Transmission Control Protocol)／ＵＤＰ(User Datagram Protocol)／ＩＰ(Internet Protocol)制御部１０８に接続されており、さらに、ＴＣＰ／ＵＤＰ／ＩＰ制御部１０８は、データリンク層以下の通信制御を行うネットワークインタフェース１０９に接続され、ネットワークインタフェース１０９は、ネットワーク１７０に繋がっており、ネットワーク１７０を通してインターネット１８０にアクセスする。
【００２３】
ＦＡＸ部１２０は、ＦＡＸ部１２０内において、送信時に受信側の能力に合わせて画像の解像度、サイズ、符号則等を変換する処理を行う通信画像処理部１２１がバス１０７に繋がっており、さらに通信画像処理部１２１にはＴ．３０プロトコルを制御するＴ３０制御部１２２が接続され、さらに、Ｔ３０制御部１２２には、アナログ信号とデジタル信号の変復調を行うモデム１２３が接続され、さらに、モデム１２３には、ハンドセットである音声通話部１２４と、電話網との接続制御を行うＮＣＵ１２５と、ＰＣＭ(Pulse Code Modulation)やＡＤＰＣＭ(Adaptive Differential Pulse Code Modulation)を利用して音声信号を変換する音声符号化複合化部１２７が並列に接続され、そして、音声符号化複合化部１２７は、ＲＴＰ(Real-time Transport Protocol)などのリアルタイム転送プロトコルの制御を行うリアルタイム転送制御部１２８に接続され、リアルタイム転送制御部１２８がＴＣＰ／ＵＤＰ／ＩＰ制御部１０８に接続されている。
【００２４】
また、リアルタイムｉＦＡＸ部１３０は、リアルタイムｉＦＡＸ部１３０内において、通信画像処理部１３１がバス１０７に繋がっており、さらに通信画像処理部１３１には、Ｔ．３０プロトコルを制御するＴ３０制御部１３２が接続され、さらにＴ３０制御部１３２にはリアルタイムファクシミリ用のＴ．３８プロトコルを制御するＴ３８制御部１３３が繋がっていて、このＴ３８制御部１３３がＴＣＰ／ＵＤＰ／ＩＰ制御部１０８に接続されている。
【００２５】
また、セッション接続制御部１４０は、ＴＣＰ／ＵＤＰ／ＩＰ制御部１０８に繋がっている。
【００２６】
また、電子メールｉＦＡＸ部１５０は、電子メールｉＦＡＸ部１５０内において、通信画像処理部１５１がバス１０７に繋がっており、さらに通信画像処理部１５１には、既存電子メールの送受信制御を行うＳＭＴＰ(Simple Mail Transfer Protocol)制御部１５３と、Ｔ．３７プロトコルを制御してインターネットファックスの制御を行うＴ３７制御部１５２とが並列に接続され、そして、ＳＭＴＰ制御部１５３がＴＣＰ／ＵＤＰ／ＩＰ制御部１０８に接続されている。
【００２７】
また、ＥＮＵＭ部１６０は、ＥＮＵＭ技術を利用するときにＤＮＳ１９０にドメイン名を送るドメイン名送信部１６１と、ＤＮＳ１９０から送られてくるＮＡＰＴＲ−ＲＲを受信するＮＡＰＴＲ−ＲＲ受信部１６２とが、それぞれバス１０７とＴＣＰ／ＵＤＰ／ＩＰ制御部１０８とに繋がっており、ドメイン名送信部１６１とＮＡＰＴＲ−ＲＲ受信部１６２とは直接的に接続されていない。
【００２８】
ユーザは、この情報通信装置１００を使用して送信を行うには、まず、操作／表示部１０５において電話番号を入力する。
【００２９】
ＥＮＵＭを使用しない通常のファックス送信の場合には、電話番号が入力されると、システム制御部１０１によってスキャナ部１０３で取り込まれた画像データが画像蓄積部１０２を経由してＦＡＸ部１２０に送られ、ＦＡＸ部１２０内のＮＣＵ１２５より通信網を呼び出す為のダイヤル信号が送出され、電話回線１２６を通してファックス通信が行われる。
【００３０】
ＥＮＵＭ技術を使用して通信する場合には、操作／表示部１０５において電話番号の入力の前後にＥＮＵＭボタン２０６が押されることによって、ＥＮＵＭ通信が選択される。
【００３１】
ＥＮＵＭ通信が選択されると、入力された電話番号が、システム制御部１０１によってＮＵＭ部１６０内のドメイン名送信部１６１に送られ、ドメイン名送信部１６１においてＥＮＵＭ形式のドメイン名に変換され、ドメイン名送信部１６１からＴＣＰ／ＵＤＰ／ＩＰ制御部１０８とネットワークインタフェース１０９を通してネットワーク１７０からインターネット１８０上のＤＮＳ１９０にドメイン名を送り、ＮＡＰＴＲ−ＲＲを要求する。
【００３２】
ドメイン名が送られたＤＮＳ１９０は、登録されてあるドメイン名に対応するＮＡＰＴＲ−ＲＲを情報通信装置１００に送り返す。
【００３３】
情報通信装置１００はネットワークインタフェース１０９でＮＡＰＴＲ−ＲＲを受け取ると、ＴＣＰ／ＵＤＰ／ＩＰ制御部１０８からＮＡＰＴＲ−ＲＲ受信部１６２に送られ、ＮＡＰＴＲ−ＲＲ受信部１６２において、受信したＮＡＰＴＲ−ＲＲから、通信相手が受信可能な通信手段と該通信手段を使用した場合の通信相手のアドレスがＵＲＩ形式で取り出され、さらに、通信手段の優先順位が登録されていた場合にはその優先順位を取りだし、操作／表示部１０５に、通信手段とアドレスを優先順位順に表示させる。
【００３４】
優先順位が登録されていない場合には、取り出した通信手段とアドレスを表示させる。
【００３５】
操作／表示部１０５に表示された通信手段から、ユーザが任意の通信手段を選択すると、最初にユーザが入力した電話番号の相手先へ、ユーザが選択した通信手段によって通信が行われる。
【００３６】
なお、相手先への通信手段に、ＩＰ電話等のファクシミリ以外の通信手段が含まれていて、情報通信装置１００で使用できる通信手段であれば、当該通信手段が選択された場合には、当該通信手段によって相手先との通信が行われる。
【００３７】
次に、情報通信装置１００において、ＥＮＵＭを使用して、ユーザが希望する通信モードで通信を実行する処理について添付図面を参照して詳しく説明する。
【００３８】
図２は、操作／表示部１０５において最初に表示されている基本操作画面２００と電話番号入力ボタン２０３を示す構成図である。
【００３９】
基本操作画面２００はタッチパネル式となっており、画面上に表示されているボタンを指でタッチすることで該ボタンに登録されている機能を実行できる。
【００４０】
基本操作画面２００の画面構成を説明すると、画面上部にメッセージ表示欄２０１が配置され、画面下部に操作表示欄２０２が配置されている。
【００４１】
なお、操作／表示部１０５に表示される操作画面の説明では、操作画面上部の黒塗りされている欄をメッセージ表示欄２０１とし、その下の欄を操作表示欄２０２であるとする。
【００４２】
基本操作画面２００のメッセージ表示欄２０１には、「宛先を指定してください」と表示されており、宛先番号と外線の項目名が表示されている。
【００４３】
また、基本操作画面２００の操作表示欄２０２には、基本ファックスタブ２１０と通信モードタブ２０９がある。
【００４４】
デフォルトで表示されるタブは基本ファックスタブ２１０である。
【００４５】
通信モードタブ２０９は、基本操作画面２００の基本ファックスタブ２１０が表示されている状態から通信モードタブ２０９を選択することにより表示される。
【００４６】
通信モードタブ２０９の画面内には、通信モードを選択することができる画面が表示されるが、それについては後程詳しく説明する。
【００４７】
基本ファックスタブ２１０の画面内には、送信画質を標準、高画質、超高画質から選択でき、送信する原稿の種類を文字、文字／写真、写真の中から選択できるボタン２０８が配置され、また、送信する原稿の濃度をボタン２０４とボタン２０５により調節できるようになっている。
【００４８】
さらに画面右端には、ＥＮＵＭを使用して通信を行う時に使われるＥＮＵＭボタン２０６が配置されている。
【００４９】
また、基本操作画面２００の右隣には、電話番号をメッセージ表示欄２０１に入力する電話番号入力ボタン２０３が配置されている。
【００５０】
次に、情報通信装置１００の処理フローについて、図面を参照して詳しく説明する。
【００５１】
図７は、情報通信装置１００の処理フローを示したフローチャートである。
【００５２】
ユーザがＥＮＵＭを利用して希望の通信モードで通信を行うときには、まず、上記において説明した基本操作画面２００において、通信モードタブ２０９を選択して図３に示す通信モード設定画面３００を開く。
【００５３】
図３は、通信モードを設定する通信モード設定画面３００を示す画面構成図である。
【００５４】
通信モード設定画面３００において、操作表示欄２０２に、通信モードを選択するチェックボックス３０１が配置されており、その下に、チェックボックス３０１による選択で通信モードが選択されたら、当該選択された通信モードの送信情報の読み取り方法を表示する欄３０２が設けられている。
【００５５】
また、通信モード設定画面３００の画面内には、ＥＮＵＭのＤＮＳからの応答情報に、チェックボックス３０１で選択した通信モードがなかったときのために、通信モードを選択する参照テーブルを表示するテーブルボタン３０３が配置されている。
【００５６】
テーブルボタン３０３が押されると、図４に示される参照テーブルが開く。
【００５７】
図４は、通信モード設定画面３００においてテーブルボタン３０３が押されて開かれる、テーブル画面４００を示す画面構成図である。
【００５８】
テーブル画面４００の操作表示欄２０２には、テーブル画面４００において設定した情報をキャンセルして通信モード設定画面３００に戻る、キャンセルボタン３０１と、設定した情報を適用して通信モード設定画面３００に戻る、ＯＫボタン４０２が配置されている。
【００５９】
そして、その下に、通信モード設定画面３００で選択する通信モード毎に、通信モードの順番が表示されている。
【００６０】
この順番は、後で詳しく説明するが、ユーザが選択した通信モードがＤＮＳから受け取った情報に含まれていない場合に、通信モードを決定する用途に使用される。
【００６１】
テーブル画面４００で表示されている通信モードの順番は、変更できるものであり、例えば、選択した通信モードがｉＦＡＸ＿ｅｍａｉｌの場合には、１番目に「ｉＦＡＸ＿ＩＰ」、２番目に「ＦＡＸ＿ＰＳＴＮ」、３番目に「Ｔｅｌ＿ｓｉｐ」が表示されており、その順番を変更できるものとする。
【００６２】
さらに、テーブル画面４００に示されている＜ｉＦＡＸ＿ＩＰの場合＞、＜ＦＡＸ＿ＰＴＮの場合＞、＜Ｔｅｌ＿ｓｉｐの場合＞も同様に変更できるものとする。
【００６３】
テーブル画面４００で設定された内容は、ＯＫボタン４０２が押されることにより適用されて、通信モード設定画面３００に戻り、通信モード設定画面３００において通信モードが選択されると（ステップ７０１）、その後、基本ファックスタブ２１０が選択されて基本操作画面２００に戻る。
【００６４】
そして、基本操作画面２００において、ユーザによって、ＥＮＵＭボタン２０６が押され、電話番号入力ボタン２０３によって番号が入力される（ステップ７０２）。
【００６５】
番号が入力されると、システム制御部１０１は、入力された番号をドメイン名送信部１６１に送り、ドメイン名送信部１６１で、入力された番号がＥＮＵＭ形式へ変換され、変換された番号が操作／表示部１０５に送られ表示される。
【００６６】
ドメイン名送信部１６１において行う入力された番号の変換処理は、操作／表示部１０５にＥＮＵＭ形式への変換プログラムを備えて、操作／表示部１０５で変換処理を行うようにしてもよい。
【００６７】
操作／表示部１０５で変換処理が行われる場合には、操作／表示部１０５で変換された番号はドメイン名送信部１６１に送られる。
【００６８】
ここで、電話番号をＥＮＵＭ形式のドメイン名に変換する手順について説明する。
【００６９】
電話番号「０３−５２９７−２３１１」をＥＮＵＭ形式に変換する場合には、まず、ＩＴＵ−Ｔ Ｅ．１６４勧告の付録Ａで指定されたＥ．１６４番号する。
【００７０】
そうすると、「＋８１−３−５２９７−２３１１」となり、次に、先頭の＋と数字を残し、それ以外の文字を抹消する。
【００７１】
そうすると、「＋８１３５２９７２３１１」となり、次に、数字以外の文字を抹消する。
【００７２】
そうすると、「８１３５２９７２３１１」となり、次に、それぞれの数字の間にドット．」を挿入する。
【００７３】
そうすると、「８．３．５．２．９．７．２．３．１．１」となり、次に、数字を逆順にする。
【００７４】
そうすると、「１．３．２．７．９．２．５．３．１．８」となり、次に、文字列「．ｅ１６４．ａｒｐａ」を最後尾に追加する。
【００７５】
そうすると、「１．３．２．７．９．２．５．３．１．８．ｅ１６４．ａｒｐａ」となり、これがＤＮＳに送付するドメイン名となる。
【００７６】
図５は、上記のように電話番号が入力されてＥＮＵＭ形式に変換された、ＥＮＵＭ電話番号入力後画面５００を示す画面構成図である。
【００７７】
ＥＮＵＭ電話番号入力後画面５００においては、入力された電話番号が宛先番号表示欄５０１に表示され、ＥＮＵＭ形式に変換された番号がＥＮＵＭドメイン名表示欄５０２に表示されている。
【００７８】
そして、ＥＮＵＭドメイン名表示欄５０２に表示されたドメイン名をＤＮＳに送って、通信相手先の電話番号に対応したインターネット資源のアドレスを問い合わせる問い合わせボタン５０３と、通信処理を直ちに中止して基本操作画面２００に戻るキャンセルボタン３０４が表示されている。
【００７９】
ドメイン名が表示されると、ユーザによってＤＮＳ問合せボタン５０３が押されることによって、情報通信装置１００はＥＮＵＭ部１６０内のドメイン名送信部１６１からＤＮＳ１９０に問合せて、ＤＮＳよりの応答結果をＮＡＰＴＲ−ＲＲ受信部１６２で受信するステップ７０３）。
【００８０】
ＮＡＰＴＲ−ＲＲ受信部１６２では、受信した応答結果であるＮＡＰＴＲ−ＲＲに基づいて、通信相手先の電話番号に対応したインターネット資源のアドレスをＵＲＩ形式で取りだし、通信相手先への通信モードに優先順位が登録されていればその優先順位も取りだす。
【００８１】
そして、取り出されたすべてのアドレスが、情報通信装置１００が使用できるアドレスでない場合には（ステップ７０４でＮＯ）、システム制御部１０１は通信処理を中止して（ステップ７０６）、操作／表示部１０５には基本操作画面２００を表示する。
【００８２】
取り出されたアドレスに、情報通信装置１００が使用できるアドレスがある場合には（ステップ７０４でＹＥＳ）、取り出されたアドレスから通信に使用するアドレスが情報通信装置１００により選択される（ステップ７０５）。
【００８３】
ここで、ＮＡＰＴＲ−ＲＲ受信部１６２で取り出されたアドレスから通信に使用するアドレスを選択する処理について、図８のフローチャートを参照して説明する。
【００８４】
図８は、通信モードを選択する処理フローを示すフローチャートである。
【００８５】
まず、ＤＮＳの応答結果であるＮＡＰＴＲ−ＲＲ受信部１６２で取り出したアドレスの中に、ユーザが通信モード設定画面３００において設定した通信モードが含まれていた場合には（ステップ８０１でＹＥＳ）、ユーザが設定した通信モードが使用する通信手段として選択される（ステップ８０２）。
【００８６】
そして、ＤＮＳの応答結果にユーザが設定した通信モードが含まれていなかった場合には（ステップ８０１でＮＯ）、さらに、ＤＮＳの応答結果に通信モードの優先順位が設定されていた場合においては（ステップ８０３でＹＥＳ）、情報通信装置１００が使用できる通信モードの中から優先順位の一番高い通信モードを選択する（ステップ８０４）。
【００８７】
ＤＮＳの応答結果にユーザが設定した通信モードが含まれていなかった場合であって（ステップ８０１でＮＯ）、さらに、ＤＮＳの応答結果に通信モードの優先順位が設定されていなかった場合には（ステップ８０３でＮＯ）、ユーザがテーブル画面４００で設定したテーブルに表示されている順番に従って、通信モードを選択する（ステップ８０５）。
【００８８】
すなわち、テーブル画面４００のテーブルに従って通信モードを選択する方法を説明すると、ユーザが通信モード設定画面３００で設定した通信モードが「ｉＦＡＸ＿ＩＰ」の場合には、テーブル画面４００に＜ｉＦＡＸ＿ＩＰの場合＞の場合の順番が、１番目は「ｉＦＡＸ＿ｅＭＡＩＬ」、２番目は「ＦＡＸ＿ＰＳＴＮ」、３番目は「Ｔｅｌ＿ｓｉｐ」と表示されているので、ＤＮＳの応答結果に存在している通信モードの中から、テーブル画面４００に表示されている通信モードの順番の一番高いモードを選択する（ステップ８０５）。
【００８９】
このようにして、通信を行う通信モードが選択されると、選択された通信モードの使用をユーザに尋ねる、図６に示す、通信モード確認画面６００が表示される。
【００９０】
図６は、ユーザに通信モードを確認する通信モード確認画面６００を示す画面構成図である。
【００９１】
通信モード確認画面６００の操作表示欄２０２にユーザに「ｉＦＡＸ＿ｅＭａｉｌ」である電子メールに画像を添付して送信するかどうかが尋ねられている（ステップ７０７）。
【００９２】
ここでユーザが「いいえ」を選択すると（ステップ７０８でＮＯ）、システム制御部１０１は通信処理を中止して（ステップ７０６）、操作／表示部１０５には基本操作画面２００を表示する。
【００９３】
また、ユーザが「はい」を選択すると（ステップ７０８でＹＥＳ）、システム制御部１０１は、通信モード確認画面６００に表示された通信モードに適合する送信データを作成して、通信相手先に送信する（ステップ７０９）。
【００９４】
ここで、選択された通信モードに適合する送信データを作成して通信相手先に送信する処理フローについて、情報通信装置１００が使用できる４つの通信モードについて、処理フローを示した図９を参照して説明する。
【００９５】
図９は、選択された様々な通信モードにより通信が行われるそれぞれの処理フローを示したフローチャートである。
【００９６】
リアルタイムに通信できるインターネットファックスである「ｉＦＡＸ＿ＩＰ」が選択された場合には、システム制御部１０１は、スキャナ部１０３で取り込まれた画像データを画像蓄積部１０２にＴＩＦＦ−ＦＸの形式で蓄積し（ステップ９０１）、蓄積された画像データがリアルタイムｉＦＡＸ部１３０に送られる。
【００９７】
リアルタイムｉＦＡＸ部１３０内では、通信画像処理部１３１において、画像データが受信側の能力に合わせ、画像の解像度、サイズ、符合則などについて変換され、変換された画像データは、Ｔ３０制御部１３２、Ｔ３８制御部１３３でリアルタイムにインターネットファックスする処理が行われ、ＴＣＰ／ＵＤＰ／ＩＰ制御部１０８、ネットワークインタフェース１０９、ネットワーク１７０を経由してインターネット上の相手先へリアルタイムにインターネットファクシミリ送信が開始される（ステップ９０２）。
【００９８】
また、電子メールを使用したインターネットファックスである「ｉＦＡＸ＿ｅＭＡＩＬ」が選択された場合には、システム制御部１０１は、操作／表示部１０５においてユーザに画像ファイルの形式を尋ね（ステップ９０３）、スキャナ部１０３で取り込まれた画像データを、ＰＤＦ、Ｔｉｆｆ、ＪＦＩＦ等のユーザが指定したファイル形式で画像蓄積部１０２に蓄積する（ステップ９０４）。
【００９９】
そして、画像蓄積部１０２に蓄積された画像データを電子メールｉＦＡＸ部１５０に送る。
【０１００】
電子メールｉＦＡＸ部１５０においては、通信画像処理部１５１において、画像データを受信側の能力に合わせて画像の解像度、サイズ、符号則などが変換される。
【０１０１】
変換された画像データは、ＩＰネットワーク上でＧ３ファクシミリ通信を実現するため伝送制御プロトコルであるＴ．３７を制御するＴ３７制御部１５２において、画像データが電子メールに添付されるように処理され、ＳＭＴＰ制御部１５３から、処理された電子メールが相手先のメールアドレスに送信される。
【０１０２】
ＳＭＴＰ制御部１５３から送信される画像データが添付された電子メールは、ＳＭＴＰ制御部１５３からＴＣＰ／ＵＤＰ／ＩＰ制御部１０８、ネットワークインタフェース１０９、ネットワーク１７０を介してインターネット１８０上の相手先へ送信される（ステップ９０５）。
【０１０３】
また、電話回線を使用したファックス通信である「ＦＡＸ＿ＰＳＴＮ」が選択された場合には、システム制御部１０１は、スキャナ部１０３で取り込まれた画像をＭＨ／ＭＲ／ＭＭＲ／ＪＢＩＧ等のＦＡＸ形式で画像蓄積部１０２に蓄積し（ステップ９０６）、蓄積した画像データをＦＡＸ部１２０に送る。
【０１０４】
画像データが送られたＦＡＸ部１２０においては、まず、通信画像処理部１２１において、画像データが、受信側の能力に合わせて画像の解像度、サイズ、符合則等が変換される。
【０１０５】
変換された画像は、電話回線でファクシミリ通信を実現するための伝送制御プロトコルであるＴ．３０プロトコルの制御がＴ３０制御部１２２で行われ、プロトコルの制御が行われると、モデム１２３において、デジタル信号をアナログ回線で送信するためのデータの変調が行われ、次に、ＮＣＵ１２５によって通信相手を呼び出すためのダイヤル信号が電話回線１２６に送出され、通信相手先へのファックスデータの送信が開始される（ステップ９０７）。
【０１０６】
また、インターネット電話である「Ｔｅｌ＿ｓｉｐ」が選択された場合には、セッション接続制御部１４０がインターネット１８０上の相手先とのＰｅｅｒ  ｔｏ  Ｐｅｅｒでのセッション接続を開始する（ステップ９０８）。
【０１０７】
相手先とセッションが確立されると、ユーザはハンドセットである音声通話部１２４を通してインターネット電話での通信を行う。
【０１０８】
音声通話部１２４から話された音声は、音声符号化複合化部１２７において、音声信号がＰＣＭまたはＡＤＰＣＭ等の処理によりデジタル信号に変換される。
【０１０９】
変換されたデジタル信号は、リアルタイム転送制御部１２８、ＴＣＰ／ＵＤＰ／ＩＰ制御部１０８、ネットワークインタフェース１０９を介して、ネットワーク１７０に接続されているインターネット１８０上の通信相手へ音声がパケット単位で運ばれる。
【０１１０】
また、通信相手からの音声は、逆に、インターネット１８０、ネットワーク１７０から、ネットワークインタフェース１０９、ＴＣＰ／ＵＤＰ／ＩＰ制御部１０８、リアルタイム転送制御部１２８を介してデジタル信号が運ばれ、音声符号化複合化部１２７でデジタル音声が音声信号に変換され、ユーザが音声通話部１２４で通信相手の音声を聞くことが出来る。
【０１１１】
音声の送受信において、通話を成立させるために、リアルタイムに音声を送受信するための処理が、リアルタイム転送制御部１２８においてＲＴＰ等のリアルタイム転送プロトコルを制御することで行われる（ステップ９０９）。
【０１１２】
そして、インターネット電話が終了される処理は、確立した相手とのセッションをセッション接続制御部１４０が開放することで行われる。
【０１１３】
なお、送信データの生成について、基本的に、各種ファクシミリの通信モードを使用する際には、スキャナ部１０３で読み取った画像テキストを変換して送信して、インターネット電話を使用する際には、音声通話部１２４からの音声を変換して送信するのであるが、それに限らず、通信モードが選択されて表示された通信モード確認画面６００において、読み取り方法タブ２０９により通信モード設定画面３００を開いて送信情報の読み取り方法を表示する欄３０２で、ユーザが読み取り方法を選択して、その後、通信モード確認画面６００に戻って、通信を実行することも行えるとする。
【０１１４】
その際、読み取り方法がスキャナ（テキスト画像）で、通信モードがインターネット電話の場合には、読み取ったテキスト画像をＯＣＲ認識よりテキストを抽出して、その後音声変換し、その音声をインターネット電話で送信することも可能とする。
【０１１５】
つまり、ＥＮＵＭでは通信モードが複数選択される、ユーザが希望する通信モードへの送信データの変換手段については、様々な形態が可能であるとする。
【０１１６】
また、読み取り方法がハンドセット（音声）で、通信モードが各種ファクシミリ送信の場合には、入力された音声が音声認識されて、認識された音声によりテキスト画像が作成されて、各種ファクシミリ送信されることも可能とする。
【０１１７】
なお、読み取る画像については、スキャナ部１０３から画像を読み取る以外にも、ネットワークから受信した画像を保存している画像蓄積部１０２に蓄積されている画像を読み取ることも可能とする。
【産業上の利用可能性】
【０１１８】
この発明は、ＥＮＵＭを利用して通信相手先のインターネット資源のアドレスを取得できてインターネットを利用した通信を行うことが出来る情報通信装置において利用可能である。
【０１１９】
この発明によれば、ＥＮＵＭを利用して通信相手のアドレスを取得して、ユーザが希望する通信モードの送信データを作成し、希望の通信モードで通信することができる。
【図面の簡単な説明】
【０１２０】
【図１】本発明を適用した情報通信装置１００のブロック図。
【図２】操作／表示部１０５において最初に表示されている基本操作画面２００と電話番号入力ボタン２０３を示す構成図。
【図３】通信モードを設定する通信モード設定画面３００を示す画面構成図。
【図４】通信モード設定画面３００においてテーブルボタン３０３が押されて開かれる、テーブル画面４００を示す画面構成図。
【図５】電話番号が入力されてＥＮＵＭ形式に変換された、ＥＮＵＭ電話番号入力後画面５００を示す画面構成図。
【図６】ユーザに通信モードを確認する通信モード確認画面６００を示す画面構成図。
【図７】情報通信装置１００の処理フローを示したフローチャート。
【図８】通信モードを選択する処理フローを示すフローチャート。
【図９】選択された様々な通信モードにより通信が行われるそれぞれの処理フローを示したフローチャート。
【符号の説明】
【０１２１】
１００    情報通信装置
１０１    システム制御部
１０２    画像蓄積部
１０３    スキャナ部
１０４    プリンタ部
１０５    操作／表示部
１０７    バス
１０８    ＴＣＰ／ＵＤＰ／ＩＰ制御部
１０９    ネットワークインタフェース
１０６    ＲＡＭ
１２０    ＦＡＸ部
１２１    通信画像処理部
１２２    Ｔ３０制御部
１２３    モデム
１２４    音声通話部
１２５    ＮＣＵ
１２６    電話回線
１２７    音声符号化複合化部
１２８    リアルタイム転送制御部
１３０    リアルタイムｉＦＡＸ部
１３１    通信画像処理部
１３２    Ｔ３０制御部
１３３    Ｔ３８制御部
１４０    セッション接続制御部
１５０    電子メールｉＦＡＸ部
１５１    通信画像処理部
１５２    Ｔ３７制御部
１５３    ＳＭＴＰ制御部
１６０    ＥＮＵＭ部
１６１    ドメイン名送信部
１６２    ＮＡＰＴＲ−ＲＲ受信部
１７０    ネットワーク
１８０    インターネット
１９０    ＤＮＳ
２００    基本操作画面
２０１    メッセージ表示欄
２０２    操作表示欄
２０３    電話番号入力ボタン
２０９    通信モードタブ
２１０    基本ファックスタブ
３００    通信モード設定画面
４００    テーブル画面
５００    ＥＮＵＭ電話番号入力後画面
６００    通信モード確認画面
【図１】
2006041916.tif 000003
【図２】
2006041916.tif 000004
【図３】
2006041916.tif 000005
【図４】
2006041916.tif 000006
【図５】
2006041916.tif 000007
【図６】
2006041916.tif 000008
【図７】
2006041916.tif 000009
【図８】
2006041916.tif 000010
【図９】
2006041916.tif 000011